(57)【特許請求の範囲】
【請求項１】
コネクタに嵌合されるシール本体部と前記コネクタに係止されるシール被係止部とを有するシール部材を、前記コネクタに装着するためのコネクタシール装着用治具であって、前記コネクタの開口端面に重ねることが可能な治具本体と、該治具本体の略中央に摺動自在に設けた軸部材と、該軸部材の外周に係合し前記シール被係止部の上面を押圧する押圧面を有する被係止部押圧部材とを備え、前記治具本体の下部には前記治具本体を前記コネクタの開口端面に重ねた際に前記シール本体部の上面を押圧し前記シール本体部を前記コネクタ内の所定位置に押し込む上面押圧部を設け、前記軸部材の下部には下方に向かって内方に傾斜し前記軸部材を下方に押し込んだ際に前記シール本体部の前記シール被係止部側の内面を押圧する内面押圧部を設け、前記被係止部押圧部材の押圧面は前記上面押圧部が前記シール本体部の上面に当接した際に前記シール被係止部から離れて位置するように前記軸部材に係合し、前記治具本体を前記コネクタの開口端面に重ねた際に、前記上面押圧部が前記シール本体部を前記コネクタ内の所定位置に押し込み、前記被係止部押圧部材は前記軸部材に係合した状態で前記コネクタ内に移動し、前記軸部材を押し込んだ際に前記被係止部押圧部材は前記軸部材に係合した状態で前記被係止部の上面を押圧し、更に前記軸部材を押圧した際に前記軸部材は前記被係止部押圧部材の係合から外れて前記内面押圧部が前記シール本体部の前記シール被係止部側の内面を押圧するようにしたことを特徴とするコネクタシール装着用治具。
【請求項２】
前記軸部材の上方への移動を規制する規制部と、前記軸部材を上方へ付勢する付勢部材とを設けた請求項１に記載のコネクタシール装着用治具。
【請求項３】
前記被係止部押圧部材の過剰な移動を規制する第１のストッパを前記治具本体に設けた請求項１又は２に記載のコネクタシール装着用治具。
【請求項４】
前記軸部材の過剰な移動を規制する第２のストッパを前記治具本体に設けた請求項１〜３のうちの何れか１つの請求項に記載のコネクタシール装着用治具。
【請求項５】
前記シール部材を把持するシール把持部材を前記軸部材に係合した請求項１〜４のうちの何れか１つの請求項に記載のコネクタシール装着用治具。
【発明の詳細な説明】
【０００１】
【発明の属する技術分野】
本発明は、コネクタ同士の嵌合部を密封するためのシール部材を一方のコネクタに装着するためのコネクタシール装着用治具に関するものである。
【０００２】
【従来の技術】
一般に、コネクタ同士はシール部材を介して結合する場合が多く、この場合には治具を使用して一方のコネクタの所定位置に装着するようになっている。例えば、図１２に示すような形状のシール部材１は、図１３に示すような治具２を使用して、図１４及び図１５に示すようにコネクタ３に装着する。
【０００３】
この場合に、コネクタ３の開口３ａにシール部材１を配置した後に、シール部材１の上に治具２を持ってゆき、シール部材１の本体部１ａの上面に治具２のピストン部２ａの下面を接触させると共に、シール部材１の耳部１ｂの上面に治具２のシリンダ部２ｂの下面を接触させ、その後に治具２のヘッド部２ｃをコネクタ３に向けて押し込む。これにより、治具２のピストン部２ａが圧縮ばね２ｄの弾力を介して下方へ移動し、シール部材１の本体部１ａをコネクタ３の所定位置３ｂに押し込む。
【０００４】
次に、治具２のヘッド部２ｃを更に押し込むと、シリンダ部２ｂが圧縮ばね２ｄの弾力に抗して下方へ移動し、シール部材１の耳部１ｂをコネクタ３の係止部３ｃの下方に押し込む。そして、耳部１ｂは復元力により係止部３ｃの下側に伸長し、シール部材１はコネクタ３の所定位置３ｂに正しく装着されたことになる。
【０００５】
【発明が解決しようとする課題】
しかしながら、上述した従来例は次のような欠点を有している。
(1) 治具２のピストン部２ａがシール部材１をコネクタ３の所定位置３ｂに押し込む際に、シール部材１の耳部１ｂが治具２のシリンダ部２ｂとコネクタ３の係止部３ｃの間に挟み込まれ、耳部１ｂが破損する場合がある。
【０００６】
(2) 治具２のピストン部２ａがシール部材１の本体部１ａを押圧した状態で、治具２のシリンダ部２ｂがシール部材１の耳部１ｂを押さえるため、本体部１ａと耳部１ｂの間に亀裂が発生したり、耳部１ｂが本体部１ａから分離したりする。
【０００７】
(3) シール部材１の耳部１ｂが復元する際にコネクタ３の係止部３ｃの途中に引っ掛かり、シール部材１をコネクタ３に正しい係止状態で装着することができない。
【０００８】
本発明の目的は、上述した問題点を解消し、コネクタにシール部材を正しい状態で装着し得るコネクタシール装着用治具を提供することにある。
【０００９】
【課題を解決するための手段】
上記目的を達成するための本発明に係るコネクタシール装着用治具は、コネクタに嵌合されるシール本体部と前記コネクタに係止されるシール被係止部とを有するシール部材を、前記コネクタに装着するためのコネクタシール装着用治具であって、前記コネクタの開口端面に重ねることが可能な治具本体と、該治具本体の略中央に摺動自在に設けた軸部材と、該軸部材の外周に係合し前記シール被係止部の上面を押圧する押圧面を有する被係止部押圧部材とを備え、前記治具本体の下部には前記治具本体を前記コネクタの開口端面に重ねた際に前記シール本体部の上面を押圧し前記シール本体部を前記コネクタ内の所定位置に押し込む上面押圧部を設け、前記軸部材の下部には下方に向かって内方に傾斜し前記軸部材を下方に押し込んだ際に前記シール本体部の前記シール被係止部側の内面を押圧する内面押圧部を設け、前記被係止部押圧部材の押圧面は前記上面押圧部が前記シール本体部の上面に当接した際に前記シール被係止部から離れて位置するように前記軸部材に係合し、前記治具本体を前記コネクタの開口端面に重ねた際に、前記上面押圧部が前記シール本体部を前記コネクタ内の所定位置に押し込み、前記被係止部押圧部材は前記軸部材に係合した状態で前記コネクタ内に移動し、前記軸部材を押し込んだ際に前記被係止部押圧部材は前記軸部材に係合した状態で前記被係止部の上面を押圧し、更に前記軸部材を押圧した際に前記軸部材は前記被係止部押圧部材の係合から外れて前記内面押圧部が前記シール本体部の前記シール被係止部側の内面を押圧するようにしたことを特徴とする。
【００１０】
【発明の実施の形態】
本発明を図１〜図１１に図示の実施例に基づいて詳細に説明する。
図１はコネクタ１１及びシール部材１２を併せて示す第１の実施例の治具１３の斜視図、図２は治具１３の断面図である。コネクタ１１には開口端面１１ａを有する例えば角筒状の嵌合部１１ｂが備えられ、この嵌合部１１ｂの対向する側壁には、一対の案内溝１１ｃが設けられている。シール部材１２にはコネクタ１１の嵌合部１１ｂに嵌合される形状のシール本体部１２ａが備えられ、このシール本体部１２ａには治具１３の後述する本体上面押圧片が進入する一対のシール凹溝１２ｂと、コネクタ１１の案内溝１１ｃに案内されコネクタ１１の後述する係止溝に係合する一対のシール耳部１２ｃとが設けられ、シール本体部１２ａのシール耳部１２ｃ側の内面は、治具１３の後述する傾斜面が当接するシール内面１２ｄとされている。
【００１１】
治具１３はコネクタ１１の上部に重ねられる治具本体１４と、この治具本体１４の略中央に上下動自在に支持された操作部材１５と、この操作部材１５に係合されシール耳部１２ｃを把持するシール把持部材１６と、このシール把持部材１６の下方で操作部材１５に係合されシール耳部１２ｃの上面を押圧する耳部押圧部材１７と、操作部材１５を上方へ付勢するコイルばね１８とから構成されている。
【００１２】
治具本体１４において、操作部材１５を挿通する挿通孔２１ａを有する天板２１の下面の四隅には、４本のガイド２２が下向きに設けられ、ガイド２２の下端には、シール把持部材１６や耳部押圧部材１７を案内すると共に内側に溝２３ａを有し押圧部材１７の下方への過剰な移動を規制するための一対の第１の規制片２３が設けられている。ガイド２２には、シール把持持部材１６を上方へ十分に移動させる長さが与えられている。第１の規制片２３の下面には、シール部材１２の例えばシール凹溝１２ｃの底面を押圧するための一対の本体上面押圧片２４が設けられている。本体上面押圧片２４は第１の規制片２３の下面に固定される水平部２４ａと、この水平部２４ａの内方から真下に向けて設けられた垂直部２４ｂとを有し、垂直部２４ｂは水平部２４ａの下面がコネクタ１１の開口端面１１ａに当接した際に、シール本体部１２ａをコネクタ１１の所定位置に押し込む長さとされている。そして、本体上面押圧片２４の垂直部２４ｂ同士の間には、操作部材１５の過剰な移動を規制するための第２の規制片２５が架設されている。なお、本体部押圧片２４の水平部２４ａと垂直部２４ｂは一体又は別体と水平部２４ａは省くことが可能である。
【００１３】
操作部材１５は例えば角柱状の軸部２６を有し、軸部２６には径方向の一対の半球状溝２７と、径方向の１個の横孔２８とが形成されている。軸部２６の上端にはハンドル２９が設けられ、軸部２６の下端には大径部３０が設けられている。この大径部３０の上面は第１の規制片２３の下面に当接され、上方への移動が規制されている。大径部３０の下面には第２の規制片２５を位置させる溝３０ａが形成され、大径部３０の耳部押圧部材１７側の外面には、下方に向かって内方に傾斜しシール本体部１２ａのシール耳部１２ｃ側の内面に当接する傾斜面３０ｂが形成されている。
【００１４】
シール把持部材１６は、操作部材１５の軸部２６の外周に設けられた摺動部３１を有し、この摺動部３１の両端には一対の垂直部３２が下向きに設けられ、双方の垂直部３２の下部にはシール耳部１２ｃを把持する把持溝３３がそれぞれ形成されている。垂直部３２の下端面はコネクタ１１の案内溝１１ｃの開口端面１１ａに当接するようにされている。摺動部３１の軸孔３１ａの周壁には、径方向に対向する一対の縦溝３４が形成され、これらの縦溝３４には圧縮ばね３５と鋼球３６が配置されている。そして、圧縮ばね３５により付勢された鋼球３６が、操作部材１５の半球状溝２７にそれぞれ嵌合されることにより、シール把持部材１６は操作部材１５に移動自在に係合されている。なお、シール把持部材１６は半体として形成し、それらの半体を接合することにより形成することが可能となる。
【００１５】
一方、耳部押圧部材１７には、操作部材１５の外周に設けられた摺動部４１と、この摺動部４１の両端に下向きに設けられた一対の垂直部４２とが設けられている。摺動部４１と垂直部４２は、シール把持部材１６の把持溝３３内に配置され、垂直部４２はコネクタ１１の案内溝１１ｃに進入し得る形状とされている。摺動部４１の軸孔４１ａの周壁には、径方向に対向する一対の半球状溝４３が形成されており、操作部材１５の横孔２８には圧縮ばね４４を間にして一対の鋼球４５が配置されている。そして、圧縮ばね４４により付勢された剛球４５が半球状溝４３にそれぞれ嵌合されることにより、耳部押圧部材１７は操作部材１５に移動自在に係合されている。なお、耳部押圧部材１７もシール把持部材１６と同様にして形成することができる。
【００１６】
ここで、操作部材１５、シール把持部材１６及び耳部押圧部材１７の初期位置つまりシール部材１２を把持したときの位置は次のようにされている。即ち、図３の斜視図及び図４の断面図に示すように、シール把持部材１６がシール耳部１２ｃを把持した際には、本体上面押圧片２４の下端面がシール凹溝１２ｂの低壁に当接する。また、操作部材１５の傾斜面３０ｂの下端がシール本体部１２ａ内に若干進入している。更に、耳部押圧部材１７の垂直部４２の下端面がシール耳部１２ｃから若干離間している。そして、治具本体１４をコネクタ１１に重ねた際に、本体部押圧片２４がシール本体部１２ａをコネクタ１１内の所定位置に押し込むと共に、シール把持部材１６はコネクタ１１の開口端面１１ａにより移動が規制され、操作部材１５との係合が外れる。また、操作部材１５を押圧した際には耳部押圧部材１７が従動し、シール把持部材１７がシール耳部１２ｃを押圧する。このとき、摺動部４１の下面が第１の規制片２３の上面に当接する。そして、操作部材１５を更に押圧した際に傾斜面３０ｂがシール本体部１２ａの内面を押圧し、溝３０ａの上面が第２の規制片２５当接する。
【００１７】
このような治具１３を使用して、コネクタ１１にシール部材１２を装着する際には、先ずシール把持部材１６の把持溝３３にシール耳部１２ｃを圧入することにより、シール部材１２を治具１３により保持し、図５及び図６に示すようにシール本体部１２ａをコネクタ１１の摺動部１１ｂに嵌合しながら、治具本体１４をコネクタ１１に重ねる。これにより、シール把持部材１６はコネクタ１１の開口端面１１ａにから反力を受け、剛球３６が縦溝３４内に押し込まれることにより操作部材１５との係合が外れ、上方に摺動する。同時に操作部材１５はシール本体部１２ａをコネクタ１１内の所定位置に押し込む。一方、耳部押圧部材１７は操作部材１５に係合したままコネクタ１１内に進入する。このとき、耳部押圧部材１７はシール耳部１２ｃから離間しているので、シール耳部１２ｃは自由な状態でコネクタ１１の内部に進入する。
【００１８】
更に、図７及び図８に示すように、操作部材１５を圧縮ばね２９の付勢力に抗して普通の力で押し込むと、耳部押圧部材１７が操作部材１５に係合したまま下方へ移動し、耳部押圧部材１７の垂直部４２がシール耳部１２ｃの上面を押圧すると共に、摺動部４１の下面が第１のストッパ２３に当接し、下方への過剰な移動が規制される。このとき、溝３０ａの天壁が第２のストッパ２５に操作部材１５が移動した分だけ接近し、耳部押圧部材１７はシール耳部１２ｃを左右に移動可能な状態で押圧する。そして、操作部材１５をより強い力で押し込むと、図９に示すように剛球４５が横孔２８に押し込まれながら操作部材１５と耳部押圧部材１７との係合が外れ、操作部材１５が下方に移動することにより傾斜面３０ｂがシール内面１２ｄを押圧すると共に、溝３０ａの天壁が第２のストッパ２５に当接し、下方への過剰な移動が規制される。これにより操作部材１５はシール耳部１２ｃを係止溝１１ｄ内に十分に嵌合させる。
【００１９】
このように、第１の実施例ではシール部材１２をシール把持部材１６により把持できるので、シール部材１２をコネクタ１１に安定して挿入でき、コネクタ１１にシール部材１２を装着する作業性を向上させることができる。また、耳部押圧部材１７がシール耳部１２ｃから離間した状態で、治具本体１４がール本体部１２ａをコネクタ１１内の所定位置に押し込むので、シール耳部１２ｃが自由な状態で移動し、シール耳部１２ｃがコネクタ１１と耳部押圧部材１７の間に挟まれることがなくなり、シール耳部１２ｃの破損を防止できる。更に、操作部材１５と耳部押圧部材１７はシール本体部１２ａとシール耳部１２ｃを第１及び第２のストッパ２３、２５により所定量しか押圧しないので、シール部材１２に過剰な力が加わることを防止でき、シール耳部１２ｃがシール本体部１２ａから分離することを防止できる。
【００２０】
そして、耳部押圧部材１７がシール耳部１２ｃの上面を押圧してコネクタ１１内の係止溝１１ｄに押し込んだ後に、操作部材１５がシール本体部１２ａの内面を押さえ付けるので、シール耳部１２ｃをコネクタ１１の係止溝１１ｄ内に引っ掛かけることなく嵌合でき、コネクタ１１にシール部材１２を正しい係止状態で装着することが可能となる。
【００２１】
図１０は第２の実施例の治具５１の斜視図、図１１は断面図であり、この第２の実施例は第１の実施例からシール把持部材１６が除かれた構成とされている。これにより、ガイド２２、操作部材１５の軸部２６の長さが短縮されると共に、軸部２６から半球状溝２７が省かれている。この第２の実施例ではシール部材１２を把持できないが、その他には第１の実施例と同様な効果を得ることができる上に小型化が可能となる。
【００２２】
なお、コネクタ１１の案内溝１１ｃ同士の形状が異なる場合は、耳部押圧部材１７の垂直部４２同士の形状を対応させればよい。
【００２３】
【発明の効果】
以上説明したように本発明に係るコネクタシール装着用治具は、治具本体をコネクタの開口端面に重ねることによりシール部材をコネクタ内の所定位置に挿着することができ、装着作業性を向上させることができる。また、上面押圧部がシール本体部の上面に当接した際に、被係止部押圧部材の押圧面がシール被係止部から離れて位置するようにしたので、上面押圧部によりシール部材をコネクタの所定位置に押し込む際にシール被係止部を自由な状態で移動させることができ、シール被係止部の破損を防止できる。
【００２４】
そして、上面押圧部がシール部材をコネクタ内の所定位置に押し込んだ後に、被係止部押圧部材の押圧面がシール被係止部を押さえ付け、その後に内面押圧部がシール本体部のシール被係止部側の内面を押圧するので、シール被係止部をコネクタに引っ掛かけることなく係止させることができ、コネクタにシール部材を正しい係止状態で装着することが可能となる。
【図面の簡単な説明】
【図１】コネクタとシール部材を併せて示す第１の実施例の斜視図である。
【図２】縦断面図である。
【図３】シール部材を把持しコネクタに若干挿入した状態の斜視図である。
【図４】断面図である。
【図５】治具本体をコネクタに重ねた斜視図である。
【図６】部分断面図である。
【図７】内面押圧部材を押し込んだ斜視図である。
【図８】断面図である。
【図９】内面押圧部材を更に押し込んだ部分断面図である。
【図１０】第２の実施例の斜視図である。
【図１１】断面図である。
【図１２】従来例のシール部材の斜視図である。
【図１３】従来例の部分断面図である。
【図１４】従来例の作用説明図である。
【図１５】従来例の作用説明図である。
【符号の説明】
１１  コネクタ
１１ａ  開口端面
１２  シール部材
１２ａ  シール本体部
１２ｂ  シール凹溝
１２ｃ  シール耳部
１２ｄ  シール内面
１３、５１  治具
１４  治具本体
１５  操作部材
１６  シール把持部材
１７  耳部押圧部材
１８  コイルばね
２３  第１の規制片
２４  本体上面押圧片
２５  第２の規制片
２６  軸部
２７  半球状溝
２８  横孔
３０  大径部
３０ｂ  傾斜面
３４  縦溝
３５、４４  圧縮ばね
３６、４５  剛球
【図１】
0003673341.tif 000002
【図２】
0003673341.tif 000003
【図３】
0003673341.tif 000004
【図４】
0003673341.tif 000005
【図５】
0003673341.tif 000006
【図６】
0003673341.tif 000007
【図７】
0003673341.tif 000008
【図８】
0003673341.tif 000009
【図９】
0003673341.tif 000010
【図１０】
0003673341.tif 000011
【図１１】
0003673341.tif 000012
【図１２】
0003673341.tif 000013
【図１３】
0003673341.tif 000014
【図１４】
0003673341.tif 000015
【図１５】
0003673341.tif 000016